(57)【特許請求の範囲】
【請求項１】
被写体像を電子画像として撮像する第１の撮像手段と、
被写体像を写真フィルムに撮像する第２の撮像手段とを有し、
同一画像を、前記第１の撮像手段および第２の撮像手段のうちの少なくとも一方で撮像し、記録し得るカメラであって、
前記第１の撮像手段は、撮像素子と、
被写体像を前記撮像素子の受光面に結像させる第１の光学系と、
前記撮像素子の受光面に結像した被写体像を映像処理し、該被写体像の電子画像を得る映像処理手段と、
前記電子画像の画像データを記録媒体に記録する画像データ記録部とを有し、
当該カメラは、さらに、前記記録の方式に関するコマ情報が記録される記録媒体と、前記コマ情報を前記記録媒体に記録する記録手段とを備えたコマ情報記録部と、
少なくとも前記コマ情報を表示する表示手段と、
電子画像の画像データを前記記録媒体から消去する消去手段と、
前記コマ情報に基づいて、前記記録媒体から消去する電子画像と同一の画像が前記写真フィルムに撮像されているか否かを判別する判別手段とを有し、
所定のコマの電子画像の画像データを前記記録媒体から消去する際、前記記録媒体から消去する電子画像と同一の画像が前記写真フィルムに撮像されていない場合には、前記電子画像の消去が行われたコマが無くなるようにコマを詰め、前記記録媒体から消去する電子画像と同一の画像が前記写真フィルムに撮像されている場合には、前記電子画像の消去が行われたコマは維持され、前記コマ情報記録部は、該コマ情報記録部の記録媒体に記録されている、前記電子画像の消去が行われたコマのコマ情報を写真フィルムのみに撮像されている旨を示すものに書き換えるよう構成されていることを特徴とするカメラ。
【請求項２】
前記第２の撮像手段は、被写体像を写真フィルムに結像させる第２の光学系を有する請求項１に記載のカメラ。
【請求項３】
前記画像データ記録部は、前記電子画像の画像データが記録される記録媒体と、前記電子画像の画像データを前記記録媒体に記録する記録手段とを有する請求項１または２に記載のカメラ。
【請求項４】
同一画像を前記第１の撮像手段および第２の撮像手段での撮像により記録する第１の記録モードと、電子画像を前記第１の撮像手段での撮像により記録する第２の記録モードと、画像を前記第２の撮像手段での撮像により記録する第３の記録モードのうちのいずれかに設定する記録モード設定手段を有し、
前記コマ情報記録部は、前記記録モード設定手段からの記録モード設定情報に基づいて、前記コマ情報を自動的に記録するよう構成されている請求項１ないし３のいずれかに記載のカメラ。
【請求項５】
電子画像を再生する再生手段を有し、前記表示手段は、その再生画像を表示し得るよう構成されている請求項１ないし４のいずれかに記載のカメラ。
【請求項６】
電子画像を再生する際、前記表示手段は、その再生画像とともに、前記コマ情報を表示するよう構成されている請求項５に記載のカメラ。
【発明の詳細な説明】
【０００１】
【発明の属する技術分野】
本発明は、被写体像を電子画像として撮像し得るとともに、被写体像を写真フィルムに撮像し得るカメラに関する。
【０００２】
【従来の技術】
銀塩写真フィルム（写真フィルム）に露光（撮像）するとともに、その画像を電子画像としてモニタすることができるモニタ付カメラが知られている。
【０００３】
このカメラは、モニタ画像を得るための撮像素子（ＣＣＤ）を備え、このＣＣＤで撮像するデジタルスチルカメラ部と、写真フィルムに撮像する銀塩カメラ部とを有している。
【０００４】
このカメラでは、デジタルスチルカメラ部および銀塩カメラ部で同一の画像を同時に撮像することができるとともに、デジタルスチルカメラ部と、銀塩カメラ部とでそれぞれ独立に撮像することもできる。
【０００５】
しかしながら、このカメラは、前記撮像（記録）の方式に関する情報を管理する機構を有していないので、デジタルスチルカメラ部で撮像した画像を再生し、モニタに表示したとき、コマの食い違いが生じ、混乱を招くことがある。
【０００６】
すなわち、モニタに表示された画像が、デジタルスチルカメラ部でのみ撮像されたものか、または、デジタルスチルカメラ部および銀塩カメラ部で撮像されたものかが判らなくなるといった問題がある。
【０００７】
【発明が解決しようとする課題】
本発明の目的は、撮像素子で撮像した画像と、写真フィルムに露光した画像とのコマの食い違いを防止し得るカメラを提供することにある。
【０００８】
【課題を解決するための手段】
このような目的は、下記（１）〜（６）の本発明により達成される。
【０００９】
（１）  被写体像を電子画像として撮像する第１の撮像手段と、
被写体像を写真フィルムに撮像する第２の撮像手段とを有し、
同一画像を、前記第１の撮像手段および第２の撮像手段のうちの少なくとも一方で撮像し、記録し得るカメラであって、
前記第１の撮像手段は、撮像素子と、
被写体像を前記撮像素子の受光面に結像させる第１の光学系と、
前記撮像素子の受光面に結像した被写体像を映像処理し、該被写体像の電子画像を得る映像処理手段と、
前記電子画像の画像データを記録媒体に記録する画像データ記録部とを有し、
当該カメラは、さらに、前記記録の方式に関するコマ情報が記録される記録媒体と、前記コマ情報を前記記録媒体に記録する記録手段とを備えたコマ情報記録部と、
少なくとも前記コマ情報を表示する表示手段と、
電子画像の画像データを前記記録媒体から消去する消去手段と、
前記コマ情報に基づいて、前記記録媒体から消去する電子画像と同一の画像が前記写真フィルムに撮像されているか否かを判別する判別手段とを有し、
所定のコマの電子画像の画像データを前記記録媒体から消去する際、前記記録媒体から消去する電子画像と同一の画像が前記写真フィルムに撮像されていない場合には、前記電子画像の消去が行われたコマが無くなるようにコマを詰め、前記記録媒体から消去する電子画像と同一の画像が前記写真フィルムに撮像されている場合には、前記電子画像の消去が行われたコマは維持され、前記コマ情報記録部は、該コマ情報記録部の記録媒体に記録されている、前記電子画像の消去が行われたコマのコマ情報を写真フィルムのみに撮像されている旨を示すものに書き換えるよう構成されていることを特徴とするカメラ。
【００１０】
（２）  前記第２の撮像手段は、被写体像を写真フィルムに結像させる第２の光学系を有する上記（１）に記載のカメラ。
【００１１】
（３）  前記画像データ記録部は、前記電子画像の画像データが記録される記録媒体と、前記電子画像の画像データを前記記録媒体に記録する記録手段とを有する上記（１）または（２）に記載のカメラ。
【００１２】
（４）  同一画像を前記第１の撮像手段および第２の撮像手段での撮像により記録する第１の記録モードと、電子画像を前記第１の撮像手段での撮像により記録する第２の記録モードと、画像を前記第２の撮像手段での撮像により記録する第３の記録モードのうちのいずれかに設定する記録モード設定手段を有し、
前記コマ情報記録部は、前記記録モード設定手段からの記録モード設定情報に基づいて、前記コマ情報を自動的に記録するよう構成されている上記（１）ないし（３）のいずれかに記載のカメラ。
【００１３】
（５）  電子画像を再生する再生手段を有し、前記表示手段は、その再生画像を表示し得るよう構成されている上記（１）ないし（４）のいずれかに記載のカメラ。
【００１４】
（６）  電子画像を再生する際、前記表示手段は、その再生画像とともに、前記コマ情報を表示するよう構成されている上記（５）に記載のカメラ。
【００１７】
【発明の実施の形態】
以下、本発明のカメラを添付図面に示す好適実施例に基づいて詳細に説明する。
【００１８】
図１は、本発明のカメラの構成例を示す斜視図、図２は、図１に示すカメラの正面図、図３は、図１に示すカメラの回路構成を示すブロック図である。なお、図３では、制御線や信号線の一部は省略されている。
【００１９】
図１に示すカメラ１は、被写体像を電子画像として撮像する（画像データの記録を含む）スチルビデオカメラ部（第１の撮像手段）と、被写体像を銀塩写真フィルム（写真フィルム）に露光（撮像）する銀塩カメラ部（第２の撮像手段）とを有するＬＣＤモニタ（表示手段）付カメラである。
【００２０】
図１および図２に示すように、カメラ１は、ボディー２を有し、ボディー２の前面（正面）には、撮像光学系（第２の光学系）４および撮像光学系（第１の光学系）５が、ボディー２の上面には、表示部２４、モード設定スイッチ２６、記録モード設定スイッチ２７、アップスイッチ２８、ダウンスイッチ２９およびレリーズスイッチ３１が、ボディー２の背面には、裏蓋３が、ボディー２の正面から背面に渡って、ファインダー光学系６が、それぞれ設置されている。そして、裏蓋３には、ＬＣＤモニタ（表示手段）１８が設置されている。なお、レリーズスイッチ３１は、２段スイッチになっている。
【００２１】
前記撮像光学系４は、被写体像を図示しない写真フィルムに結像させるための光学系であり、前記撮像光学系５は、被写体像を後述するＣＣＤ８の受光面に結像させるための光学系である。
【００２２】
図３に示すように、カメラ１は、ＣＣＤ（撮像素子）８および撮像回路９を備えた撮像部を有している。
【００２３】
ＣＣＤ８は、多数の画素が行列状に配置され、各画素のそれぞれが受光光量に応じた電荷を蓄積し、この電荷を所定時に順次転送するように構成されている。
【００２４】
撮像回路９は、ＣＣＤ８を制御し、ＣＣＤ８からの信号の読み出しや、信号処理を行うための回路であり、ＣＣＤ８の出力側にその入力側が接続されている。
【００２５】
本実施例では、ＣＣＤ８として、補色フィルターのＣＣＤが用いられている。ＣＣＤ８の各画素（最小単位）には、マゼンタ（Ｍｇ）、イエロー（Ｙｅ）、シアン（Ｃｙ）およびグリーン（Ｇ）を取り出すためのフィルターが各々被せられている。なお、ＣＣＤ８側のシャッターとしては、このＣＣＤ８の電子シャッター機能を利用する。
【００２６】
また、カメラ１は、制御手段７を有している。制御手段７は、通常、マイクロコンピュータで構成され、シーケンス制御、測光演算（露出演算）、測距演算、自動露出や自動焦点合わせの実行等、カメラ１における諸機能の制御を行う。
【００２７】
制御手段７には、表示部２４および操作部２５が、それぞれ接続されている。操作部２５には、例えば、電源スイッチ（メインスイッチ）、撮像モード（撮影モード）／再生モード／消去モードのうちのいずれかを選択するモード設定スイッチ２６、ＩＣメモリ記録モード（第２の記録モード）／写真フィルム記録モード（第３の記録モード）／両方記録モード（第１の記録モード）のうちのいずれかを選択する記録モード設定スイッチ２７、アップスイッチ２８、ダウンスイッチ２９、レリーズスイッチ３１等が設置されている。
【００２８】
表示部２４には、例えば、電源スイッチのオン／オフの別、現在のモード（撮像モード／再生モード／消去モードの別）、現在の記録モード（ＩＣメモリ記録モード／写真フィルム記録モード／両方記録モードの別）、写真フィルムの撮像枚数、全体（写真フィルムおよびＣＣＤ８の合計）の撮像枚数、撮像の年月日等の情報、現在の時間等のうちの必要な情報が、例えば、ＬＣＤ（液晶表示素子）や発光素子により表示される。
【００２９】
また、制御手段７には、裏蓋開閉検出スイッチ３２、写真フィルム検出手段３３、ストロボ回路３４、測光回路３５、ＡＦ回路（測距回路）３６、レンズ駆動回路３７、シャッター・絞り駆動回路３８およびレンズ駆動回路４１が、それぞれ接続されている。
【００３０】
裏蓋開閉検出スイッチ３２は、裏蓋３の開閉を検出するスイッチであり、裏蓋３が閉じるとオンし、裏蓋３が開くとオフする。
【００３１】
写真フィルム検出手段３３は、写真フィルムパトローネ（写真フィルムカートリッジ）が装填されると、その旨を示す信号を制御手段７へ入力する。
【００３２】
測光回路３５は、図示しない測光センサにより被写体の輝度を測定し、その情報（輝度情報）を制御手段７へ入力する。
【００３３】
制御手段７は、前記輝度情報と、写真フィルムのフィルム感度（ＩＳＯ感度）を検出する図示しないフィルム感度検出手段から入力されたフィルム感度情報とに基づいて、測光演算（露出演算）を行い、レンズシャッター（絞り兼用シャッター）３９の適正な露出（絞り値およびシャッター速度）を決定するとともに、ＣＣＤ８側の適正な露出（ＣＣＤ８の電荷蓄積時間）を決定する。
【００３４】
以下、前記レンズシャッター３９の適正な露出およびＣＣＤ８側の適正な露出を決定するための動作を、「自動露出（ＡＥ）処理」という。
【００３５】
レンズシャッター３９は、複数の羽根を有し、後述するシャッター・絞り駆動回路３８による羽根の移動や回転により、開口を開閉して露光制御し得るようになっている。
【００３６】
ＡＦ回路３６は、図示しない投光部および受光部により、アクティブ方式によって撮像距離（カメラ１の写真フィルム面から被写体までの距離）を測定し、その情報（撮像距離情報）を制御手段７へ入力する。制御手段７は、この撮像距離情報により、撮像距離を把握する。
【００３７】
レンズ駆動回路３７は、図示しない合焦点駆動用のモータを有している。前述したように、ＡＦ回路３６から制御手段７に撮像距離情報が入力されると、制御手段７は、この撮像距離情報に基づいて、撮像光学系４を合焦させるための指令信号をレンズ駆動回路３７へ入力する。レンズ駆動回路３７は、この合焦指令により合焦点駆動用のモータを所定量回転駆動させて合焦状態を得る。
【００３８】
また、レンズ駆動回路４１は、図示しない合焦点駆動用のモータを有している。前述したように、ＡＦ回路３６から制御手段７に撮像距離情報が入力されると、制御手段７は、この撮像距離情報に基づいて、撮像光学系５を合焦させるための指令信号をレンズ駆動回路４１へ入力する。レンズ駆動回路４１は、この合焦指令により合焦点駆動用のモータを所定量回転駆動させて合焦状態を得る。
【００３９】
以下、前記撮像光学系４および５の合焦状態を得るための動作を、「自動焦点（ＡＦ）処理」という。
【００４０】
シャッター・絞り駆動回路３８は、図示しないレンズシャッター駆動用のモータを有している。制御手段７から、レンズシャッター３９を前記適正露出で作動させる指令信号がシャッター・絞り駆動回路３８に入力されると、シャッター・絞り駆動回路３８は、この指令によりレンズシャッター駆動用のモータを所定量回転駆動させて、レンズシャッター３９を駆動する。これにより、写真フィルムへの露光（撮像）がなされる。
【００４１】
ストロボ回路３４は、制御手段７からストロボ駆動指令信号が入力されると、図示しないストロボ光源を駆動（発光）させる。
【００４２】
また、カメラ１は、フラッシュメモリ（ＩＣメモリ）２３を内蔵している。このフラッシュメモリ２３は、デジタル画像信号（画像データ）を記録（記憶）する画像記録領域と、後述するコマ情報を記録するコマ情報記録領域とを有している。
【００４３】
次に、カメラ１の作用について説明する。
カメラ１では、モード設定スイッチ２６が操作される毎に、撮像モードセット指令、再生モードセット指令、消去モードセット指令が循環して制御手段７に入力される。
【００４４】
制御手段７は、前記モードセット指令に応じて、「撮像モード」、「再生モード」または「消去モード」に設定する。
【００４５】
また、カメラ１では、記録モード設定スイッチ２７の操作により、ＩＣメモリ記録モードセット指令、写真フィルム記録モードセット指令または両方記録モードセット指令が制御手段７に入力される。
【００４６】
制御手段７は、前記モードセット指令に応じて、記録モードを「ＩＣメモリ記録モード（第２の記録モード）」、「写真フィルム記録モード（第３の記録モード）」または「両方記録モード（第１の記録モード）」に設定する。
【００４７】
ここで、ＩＣメモリ記録モードは、ＣＣＤ８により撮像し、撮像した被写体像の画像データをフラッシュメモリ（ＩＣメモリ）２３に記録（記憶）し、写真フィルムには露光（撮像）しないモードである。以下、画像データをフラッシュメモリ２３に記録し、写真フィルムには露光しないことを、「ＩＣメモリのみに記録」という。
【００４８】
また、写真フィルム記録モードは、写真フィルムに露光し、フラッシュメモリ２３には画像データを記録しない（ＣＣＤ８では撮像しない）モードである。以下、写真フィルムに露光し、フラッシュメモリ２３には画像データを記録しないことを、「写真フィルムのみに記録」という。
【００４９】
また、両方記録モードは、ＣＣＤ８により撮像し、撮像した被写体像の画像データをフラッシュメモリ２３に記録するとともに、それと同一の被写体像を写真フィルムにも露光するモードである。以下、画像データをフラッシュメモリ２３に記録するとともに、写真フィルムにも露光することを、「両方に記録」という。
【００５０】
以下、各モードにおけるカメラ１の作用を説明する。
▲１▼［撮像モード］
前述したように、使用者（撮像者）によるモード設定スイッチ２６の操作によって、撮像モードセット指令が制御手段７に入力されると、制御手段７により、撮像モードに設定される。
【００５１】
撮像の際は、使用者は、光学式のファインダーによって、構図を決める。そして、記録モードがＩＣメモリ記録モードに設定されている場合において、レリーズスイッチ３１がオンすると、これに同期して、所定の露光条件でＣＣＤ８への露光動作がなされ、ＣＣＤ８の各画素には、被写体像に対応する光量に応じた電荷が蓄積される。この蓄積された電荷は順次転送され、撮像回路９に入力される。
【００５２】
撮像回路９では、ＣＣＤ８から出力される信号に対し所定の信号処理を行い、撮像された被写体像のアナログ画像信号を得る。
【００５３】
このアナログ画像信号は、Ａ／Ｄコンバータ１１により、デジタル画像信号に変換され、映像処理回路１２に入力される。
【００５４】
映像処理回路１２では、Ａ／Ｄコンバータ１１からのデジタル画像信号に対し所定の映像処理を行い、デジタルの輝度信号（Ｙ）およびクロマ信号（Ｃ）を得る。以下、デジタルの輝度信号（Ｙ）およびクロマ信号（Ｃ）を単にデジタル画像信号（画像データ）という。
【００５５】
前記デジタル画像信号（画像データ）は、受信先を選択するデータセレクタ１３を通過して、画像メモリ１４の所定のアドレスに一旦書き込まれる。前記データセレクタ１３の切り換えは、制御手段７によって制御される。
【００５６】
次いで、画像メモリ１４の所定のアドレスからデジタル画像信号が読み出される。
【００５７】
読み出されたデジタル画像信号は、画像圧縮回路１９により、所定量に圧縮され、制御手段７を介してフラッシュメモリコントロール回路２２に入力され、フラッシュメモリコントロール回路２２によりフラッシュメモリ２３の所定のアドレスへ記録（記憶）される。
【００５８】
以下、前述したＣＣＤ８への露光からフラッシュメモリ２３へのデジタル画像信号の記録までの動作を、「デジタル画像処理」という。
【００５９】
また、記録モードが写真フィルム記録モードに設定されている場合において、レリーズスイッチ３１がオンすると、これに同期して、制御手段７から、レンズシャッター３９を適正露出で作動させる指令信号がシャッター・絞り駆動回路３８に入力される。
【００６０】
シャッター・絞り駆動回路３８は、この指令によりレンズシャッター駆動用のモータを所定量回転駆動させて、レンズシャッター３９を駆動する。これにより、写真フィルムへの露光（撮像）がなされる。以下、前記写真フィルムへの露光動作を、「銀塩撮像処理」という。
【００６１】
また、記録モードが両方記録モードに設定されている場合において、レリーズスイッチ３１がオンすると、これに同期して、前述した銀塩撮像処理と、デジタル画像処理とがなされる。
【００６２】
そして、カメラ１では、フラッシュメモリコントロール回路２２により、フラッシュメモリ２３のコマ情報記録領域に、記録方式（撮像方式）に関するコマ情報が記録される。
【００６３】
この場合、記録モードがＩＣメモリ記録モードに設定されているとき、すなわちＩＣメモリのみに記録するときには、その旨、すなわち、画像データがフラッシュメモリ２３に記録され、写真フィルムには露光されない旨を表すコマ情報「Ｓ」を記録する。
【００６４】
また、記録モードが写真フィルム記録モードに設定されているとき、すなわち写真フィルムのみに記録するときには、その旨、すなわち、写真フィルムに露光され、画像データがフラッシュメモリ２３には記録されない旨を表すコマ情報「Ａ」を記録する。
【００６５】
また、記録モードが両方記録モードに設定されているとき、すなわち両方に記録するときには、その旨、すなわち、画像データがフラッシュメモリ２３に記録され、かつ、写真フィルムに露光される旨を表すコマ情報「Ｃ」を記録する。
【００６６】
なお、前記「Ｓ」、「Ａ」および「Ｃ」の記号（アルファベット）自体は、一例であることは言うまでもない。
【００６７】
ここで、各コマのコマ情報は、それぞれ、コマ番号Ｎ（但し、Ｎは自然数）と対応するように、フラッシュメモリ２３上のコマ情報テーブルに記録される。なお、コマ番号は、記録モードにかかわらず、撮像の回数を順番に表示したものである。
【００６８】
以下、図４に基づき、コマ情報の記録を具体的に説明する。図４は、コマ情報テーブルを模式的に示す図である。
【００６９】
図４中の写真フィルム上のコマ数は、写真フィルムに撮像した回数を順番に表示したものである。
【００７０】
また、図４中のＩＣメモリ上のコマ数は、電子画像として撮像した回数を順番に表示したものである。
【００７１】
図４の（１）には、写真フィルムへの記録状態、すなわち、写真フィルム上の各コマが、写真フィルムのみに記録されたコマ、または両方に記録されたコマのいずれであるかを、Ａ、Ｃで示す。
【００７２】
また、図４の（２）には、フラッシュメモリ（ＩＣメモリ）２３への記録状態、すなわち、フラッシュメモリ２３上の各コマが、ＩＣメモリのみに記録されたコマ、または両方に記録されたコマのいずれであるかを、Ｓ、Ｃで示す。
【００７３】
そして、図４の（１）および（２）に示すように画像を記録した場合には、コマ情報テーブルの状態は、図４の（３）に示すようになる。すなわち、コマ情報テーブルには、コマ番号１、２、３、４、５、６および７のコマのコマ情報として、それぞれ、「Ｃ」、「Ａ」、「Ｃ」、「Ａ」、「Ｓ」、「Ｃ」および「Ａ」が記録される。
【００７４】
▲２▼［再生モード］
前述したように、使用者によるモード設定スイッチ２６の操作によって、再生モードセット指令が制御手段７に入力されると、制御手段７により、再生モードに設定される。
【００７５】
そして、再生を開始する。この場合、フラッシュメモリコントロール回路２２により、フラッシュメモリ２３の所定のアドレスからデジタル画像信号（画像データ）が読み出され、そのデジタル画像信号は、制御手段７を介して、画像伸長回路２１に入力される。
【００７６】
読み出されたデジタル画像信号は、画像伸長回路２１により、所定量（元の量）に伸長され、データセレクタ１３を通過して、画像メモリ１４の所定のアドレスに一旦書き込まれる。前記データセレクタ１３の切り換えは、制御手段７によって制御される。
【００７７】
次いで、画像メモリ１４の所定のアドレスからデジタル画像信号が読み出される。
【００７８】
読み出されたデジタル画像信号は、Ｄ／Ａコンバータ１５でアナログ画像信号に変換されて、ＮＴＳＣエンコーダ１６に入力される。ＮＴＳＣエンコーダ１６では、アナログ画像信号、すなわち輝度信号（Ｙ）およびクロマ信号（Ｃ）と、図示しない同期信号発生回路からＮＴＳＣエンコーダ１６に入力される同期信号とから、ＮＴＳＣ方式の標準テレビジョン信号（ビデオ信号）が生成される。
【００７９】
生成された標準テレビジョン信号は、ＮＴＳＣエンコーダ１６から出力され、ＬＣＤ駆動回路１７に入力される。
【００８０】
ＬＣＤ駆動回路１７は、入力された標準テレビジョン信号に基づき、ＬＣＤモニタ１８を駆動する。これにより、ＬＣＤモニタ１８に電子画像（再生画像）が表示される。
【００８１】
そして、カメラ１では、ＬＣＤモニタ１８に、前記画像とともに、コマ番号Ｎと、コマ情報に対応する所定のマークとが表示される。
【００８２】
図５は、両方に記録されたコマが再生された場合のＬＣＤモニタ１８の表示例を示す図、図６は、ＩＣメモリのみに記録されたコマが再生された場合のＬＣＤモニタ１８の表示例を示す図、図７は、写真フィルムのみに記録されたコマが再生された場合のＬＣＤモニタ１８の表示例を示す図である。
【００８３】
コマ番号３のコマが両方に記録されたコマであり、そのコマが再生された場合には、図５に示すように、ＬＣＤモニタ１８の画面５１に画像が表示されるとともに、画面５１の図５中右下に、コマ番号「３」と、写真フィルムマーク５２と、ＩＣメモリマーク５３とがこの順序で表示される。
【００８４】
この場合、写真フィルムマーク５２は、写真フィルムに露光されている旨を示し、ＩＣメモリマーク５３は、画像データがフラッシュメモリ（ＩＣメモリ）２３に記録されている旨を示す。
【００８５】
また、コマ番号４のコマがＩＣメモリのみに記録されたコマであり、そのコマが再生された場合には、図６に示すように、ＬＣＤモニタ１８の画面５１に画像が表示されるとともに、画面５１の図６中右下に、コマ番号「４」と、ＩＣメモリマーク５３とがこの順序で表示される。この場合、写真フィルムマーク５２は、表示されない。
【００８６】
また、コマ番号５のコマが写真フィルムのみに記録されたコマであり、そのコマが再生された場合には、図７に示すように、ＬＣＤモニタ１８の画面５１に「ＦＩＬＭのみ」の文字が表示されるとともに、画面５１の図７中右下に、コマ番号「５」と、写真フィルムマーク５２とがこの順序で表示される。この場合、ＩＣメモリマーク５３は、表示されない。
【００８７】
ここで、前記コマ番号（数字）、写真フィルムマーク５２、ＩＣメモリマーク５３、「ＦＩＬＭのみ」の文字および後述する「ＮＯ  ＦＩＬＥ」の文字についての画像信号（画像データ）は、それぞれ、予め、ＣＲＴコントローラ（ＣＲＴＣ）２０に内蔵されている図示しないメモリに記録されている。
【００８８】
そして、再生の際、ＣＲＴコントローラ２０は、制御手段７からの指令信号に基づいて、ＣＲＴコントローラ２０に内蔵されているメモリから所定の画像信号を読み出し、その画像信号をＬＣＤ駆動回路１７に入力する。
【００８９】
ＬＣＤ駆動回路１７は、ＣＲＴコントローラ２０から入力された画像信号に基づき、ＬＣＤモニタ１８を駆動する。これにより、その画像がＬＣＤモニタ１８に表示される。
【００９０】
この場合、両方に記録されたコマまたはＩＣメモリのみに記録されたコマが再生されたときには、前述したように、ＬＣＤモニタ１８に、被写体像が、コマ番号Ｎと、コマ情報に対応する所定のマークとが重畳された状態で表示される。
【００９１】
また、写真フィルムのみに記録されたコマが再生されたときには、前述したように、ＬＣＤモニタ１８に、「ＦＩＬＭのみ」の文字と、コマ番号Ｎと、写真フィルムマーク５２とが表示される。
【００９２】
カメラ１では、アップスイッチ２８がオンすると、再生するコマのコマ番号Ｎが１つインクリメントされ、前述したように、そのコマの再生を行う。
【００９３】
また、ダウンスイッチ２９がオンすると、再生するコマのコマ番号Ｎが１つデクリメントされ、前述したように、そのコマの再生を行う。
【００９４】
▲３▼［消去モード］
前述したように、使用者によるモード設定スイッチ２６の操作によって、消去モードセット指令が制御手段７に入力されると、制御手段７により、消去モードに設定される。
【００９５】
そして、再生を開始する。この場合、後述するように、被写体像の画像データがフラッシュメモリ２３に記録されておらず（消去によって未記録となった場合も含む）、かつ、写真フィルムに露光されていない場合には、ＬＣＤモニタ１８に、「ＮＯ  ＦＩＬＥ」の文字が表示される。なお、この他の再生動作は、前述した再生モードの場合と同様であるので、説明を省略する。
【００９６】
消去の際は、使用者は、アップスイッチ２８やダウンスイッチ２９の操作により、消去すべき画像を選択する。
【００９７】
そして、レリーズスイッチ３１がオンすると、フラッシュメモリコントロール回路２２により、フラッシュメモリ２３の所定のアドレスからデジタル画像信号（画像データ）が消去される。
【００９８】
この場合、コマ番号Ｎのコマが両方に記録されたコマであり、フラッシュメモリ２３に記録されているコマ番号Ｎのコマの画像データを消去したときには、フラッシュメモリ２３上のコマ情報テーブルのＮコマ目に記録されているコマ情報、すなわち、コマ番号Ｎのコマ情報が「Ｃ」から「Ａ」に書き換えられる。
【００９９】
また、コマ番号ＮのコマがＩＣメモリのみに記録されたコマであり、フラッシュメモリ２３に記録されているコマ番号Ｎのコマの画像データを消去したときには、コマ番号Ｎ＋１以上の各コマについて、コマ番号が１ずつ小さくなるようにコマ番号が書き換えられる。
【０１００】
そして、これとともに、フラッシュメモリ２３上のコマ情報テーブルのＮ＋１コマ目以降に記録されている各コマ情報、すなわち、コマ番号Ｎ＋１以上の各コマ情報が、それぞれ、コマ番号が小さい方へ１コマ移行（シフト）される（コマ番号の小さい方にコマが詰められる）。
【０１０１】
すなわち、ＮMAX を最終コマ番号としたとき、コマ番号Ｎ＋１〜ＮMAX のコマ情報が、それぞれ、コマ番号Ｎ〜ＮMAX −１のコマ情報となるように、コマ情報テーブルのコマ番号Ｎ〜ＮMAX −１の各コマ情報が書き換えられるとともに、最終コマ番号ＮMAX のコマ情報の記録領域において、その記録領域に記録されているデータが消去され、これにより、最終コマ番号ＮMAX ＝ＮMAX −１となる。
【０１０２】
なお、前記最終コマ番号ＮMAX とは、コマ情報テーブルの最後のコマ番号、すなわち最後に撮像（記録）された画像のコマ番号をいう。
【０１０３】
以下、図８に基づき、画像の消去の際のコマ情報の書き換えを具体的に説明する。
【０１０４】
図８は、画像の消去前および消去後のコマ情報テーブルを模式的に示す図である。この場合、同図の（１）に、画像の消去前のコマ情報テーブルの状態、（２）および（３）に、それぞれ、画像の消去後のコマ情報テーブルの状態を示す。
【０１０５】
図８の（１）に示すように、コマ番号３のコマが両方に記録されたコマであり、コマ番号３のコマの画像データを消去した場合には、図８の（２）に示すように、フラッシュメモリ２３上のコマ情報テーブルの３コマ目に記録されているコマ情報、すなわち、コマ番号３のコマ情報が「Ｃ」から「Ａ」に書き換えられる。
【０１０６】
また、図８の（１）に示すように、コマ番号５のコマがＩＣメモリのみに記録されたコマであり、コマ番号５のコマの画像データを消去した場合には、図８の（３）に示すように、フラッシュメモリ２３上のコマ情報テーブルの６および７コマ目に記録されているコマ情報、すなわち、コマ番号６および７のコマ情報が、それぞれ、コマ番号が小さい方へ１コマ移行される。
【０１０７】
すなわち、コマ番号６および７のコマ情報が、それぞれ、コマ番号５および６のコマ情報となるように、コマ情報テーブルのコマ番号５および６のコマ情報が書き換えられるとともに、コマ番号７のコマ情報の記録領域において、その記録領域に記録されているデータが消去される。これにより、最終コマ番号ＮMAX ＝６となる。
【０１０８】
次に、カメラ１の制御手段７の制御動作を説明する。
図９、図１０、図１１、図１２、図１３および図１４は、カメラ１の制御手段７の制御動作を示すフローチャートである。以下、これらのフローチャートに基づいて説明する。
【０１０９】
まず、電源スイッチがオンか否かを判断し（ステップ１０１）、ステップ１０１において電源スイッチがオンと判断した場合には、裏蓋３が開状態から閉状態に変化したか否かを判断する（ステップ１０２）。
【０１１０】
ステップ１０２では、裏蓋開閉検出スイッチ３２がオフからオンに変化した場合には、裏蓋３が開状態から閉状態に変化したと判断する。そして、これ以外の場合、すなわち、裏蓋開閉検出スイッチ３２が、オンからオフに変化した場合、オンのままの場合、または、オフのままの場合には、裏蓋３が開状態から閉状態に変化しないと判断する。
【０１１１】
ステップ１０２において、裏蓋３が開状態から閉状態に変化したと判断した場合には、写真フィルム（写真フィルムパトローネ）が装填されているか否かを判断する（ステップ１０３）。なお、このステップ１０３における判断は、前述した写真フィルム検出手段３３から入力される信号に基づいて行われる。
【０１１２】
ステップ１０３において、写真フィルムが装填されていると判断した場合には、写真フィルムをローディングする（ステップ１０４）。このステップ１０４により、写真フィルムが１コマ目まで巻き上げられる。
【０１１３】
次いで、フラッシュメモリ２３に記録されている画像データをすべて消去する（ステップ１０５）。
【０１１４】
次いで、各設定値を初期化する（ステップ１０６）。このステップ１０６により、再生する画像のコマ番号（再生コマ番号）Ｎ、フラッシュメモリ２３上のコマ情報テーブルのコマ情報等が、それぞれ初期化される。
【０１１５】
前記ステップ１０２において裏蓋３が開状態から閉状態に変化しないと判断した場合、ステップ１０３において写真フィルムが装填されていないと判断した場合、または、ステップ１０６の後、撮像モードに設定されているか否かを判断する（ステップ１０７）。
【０１１６】
ステップ１０７において、撮像モードに設定されていると判断した場合には、レリーズスイッチ３１の１段目がオンか否かを判断する（ステップ１０８）。
【０１１７】
ステップ１０８において、レリーズスイッチ３１の１段目がオンと判断した場合には、前述した自動焦点（ＡＦ）処理を行う（ステップ１０９）。
【０１１８】
次いで、前述した自動露出（ＡＥ）処理を行う（ステップ１１０）。
次いで、レリーズスイッチ３１の２段目がオンか否かを判断する（ステップ１１１）。
【０１１９】
ステップ１１１において、レリーズスイッチ３１の２段目がオフと判断した場合には、ステップ１０８に戻り、再度、ステップ１０８以降を実行する。
【０１２０】
そして、ステップ１１１において、レリーズスイッチ３１の２段目がオンと判断した場合には、記録モードが、写真フィルム記録モード、ＩＣメモリ記録モードおよび両方記録モードのうちのいずれに設定されているかを判断する（ステップ１１２）。
【０１２１】
ステップ１１２において、記録モードが両方記録モードに設定されていると判断した場合には、前述した銀塩撮像処理を行う（ステップ１１３）。このステップ１１３により、写真フィルムに露光される。
【０１２２】
次いで、前述したデジタル撮像処理を行う（ステップ１１４）。このステップ１１４により、画像データがフラッシュメモリ２３に記録される。
【０１２３】
次いで、前述したように、フラッシュメモリ２３上のコマ情報テーブルに、コマ情報「Ｃ」を記録する（ステップ１１５）。
【０１２４】
また、ステップ１１２において、記録モードが写真フィルム記録モードに設定されていると判断した場合には、前述した銀塩撮像処理を行う（ステップ１１６）。
【０１２５】
次いで、前述したように、フラッシュメモリ２３上のコマ情報テーブルに、コマ情報「Ａ」を記録する（ステップ１１７）。
【０１２６】
また、ステップ１１２において、記録モードがＩＣメモリ記録モードに設定されていると判断した場合には、前述したデジタル撮像処理を行う（ステップ１１８）。
【０１２７】
次いで、前述したように、フラッシュメモリ２３上のコマ情報テーブルに、コマ情報「Ｓ」を記録する（ステップ１１９）。
【０１２８】
前記ステップ１０７において撮像モードに設定されていないと判断した場合、ステップ１０８においてレリーズスイッチ３１の１段目がオフと判断した場合、ステップ１１５の後、ステップ１１７の後、または、ステップ１１９の後、再生モードに設定されているか否かを判断する（ステップ１２０）。
【０１２９】
ステップ１２０において、再生モードに設定されていると判断した場合には、フラッシュメモリ２３上のコマ情報テーブルに、コマ番号１（１コマ目）のコマのコマ情報が記録されているか否かを判断する（ステップ１２１）。
【０１３０】
ステップ１２１において、コマ番号１のコマのコマ情報が記録されていないと判断した場合には、再生モードに設定されているか否かを判断する（ステップ１２２）。
【０１３１】
また、ステップ１２１において、コマ番号１のコマのコマ情報が記録されていると判断した場合には、再生する画像のコマ番号Ｎ＝１に設定する（ステップ１２３）。
【０１３２】
次いで、ＬＣＤモニタ１８に、コマ番号Ｎを表示する（ステップ１２４）。
次いで、コマ番号Ｎのコマ情報がＣ、ＡおよびＳのうちのいずれであるかを判断する（ステップ１２５）。
【０１３３】
ステップ１２５において、コマ情報がＣと判断した場合には、ＬＣＤモニタ１８にＩＣメモリマーク５３を表示する（ステップ１２６）。
【０１３４】
次いで、ＬＣＤモニタ１８に写真フィルムマーク５２を表示する（ステップ１２７）。
【０１３５】
次いで、コマ番号Ｎの画像を再生し、ＬＣＤモニタ１８に表示する（ステップ１２８）。
【０１３６】
なお、前記ステップ１２４、１２６、１２７および１２８により、図５に示すように、ＬＣＤモニタ１８に、コマ番号Ｎの画像が表示されるとともに、コマ番号Ｎ、ＩＣメモリマーク５３および写真フィルムマーク５２がそれぞれ表示される。
【０１３７】
また、ステップ１２５において、コマ情報がＡと判断した場合には、ＬＣＤモニタ１８に写真フィルムマーク５２を表示する（ステップ１２９）。
【０１３８】
次いで、ＬＣＤモニタ１８に、“ＦＩＬＭのみ”の文字を表示する（ステップ１３０）。
【０１３９】
なお、前記ステップ１２４、１２９および１３０により、図７に示すように、ＬＣＤモニタ１８に、“ＦＩＬＭのみ”の文字が表示されるとともに、コマ番号Ｎおよび写真フィルムマーク５２がそれぞれ表示される。
【０１４０】
また、ステップ１２５において、コマ情報がＳと判断した場合には、ＬＣＤモニタ１８にＩＣメモリマーク５３を表示する（ステップ１３１）。
【０１４１】
次いで、コマ番号Ｎの画像を再生し、ＬＣＤモニタ１８に表示する（ステップ１３２）。
【０１４２】
なお、前記ステップ１２４、１３１および１３２により、図６に示すように、ＬＣＤモニタ１８に、コマ番号Ｎの画像が表示されるとともに、コマ番号ＮおよびＩＣメモリマーク５３がそれぞれ表示される。
【０１４３】
ステップ１２８、１３０または１３２の後、アップスイッチ２８がオンか否かを判断する（ステップ１３３）。
【０１４４】
ステップ１３３において、アップスイッチ２８がオンと判断した場合には、最終コマ番号をＮMAX としたとき、Ｎ＜ＮMAX か否かを判断する（ステップ１３４）。
【０１４５】
ステップ１３４において、Ｎ＜ＮMAX と判断した場合には、Ｎを１つインクリメントする（Ｎ＝Ｎ＋１）（ステップ１３５）。
【０１４６】
また、ステップ１３３において、アップスイッチ２８がオフと判断した場合には、ダウンスイッチ２９がオンか否かを判断する（ステップ１３６）。
【０１４７】
ステップ１３６において、ダウンスイッチ２９がオンと判断した場合には、Ｎ＞１か否かを判断する（ステップ１３７）。
【０１４８】
ステップ１３７において、Ｎ＞１と判断した場合には、Ｎを１つデクリメントする（Ｎ＝Ｎ−１）（ステップ１３８）。
【０１４９】
また、ステップ１３６において、ダウンスイッチ２９がオフと判断した場合には、再生モードに設定されているか否かを判断する（ステップ１３９）。
【０１５０】
ステップ１３９において再生モードに設定されていると判断した場合、ステップ１３４においてＮ＜ＮMAX ではないと判断した場合（Ｎ＝ＮMAX の場合）、ステップ１３７においてＮ＞１ではないと判断した場合（Ｎ＝１の場合）、ステップ１３５の後、または、ステップ１３８の後、ステップ１２４に戻り、再度、ステップ１２４以降を実行する。
【０１５１】
また、ステップ１２２において再生モードに設定されていないと判断した場合、ステップ１３９において再生モードに設定されていないと判断した場合、または、ステップ１２０の後、消去モードに設定されているか否かを判断する（ステップ１４０）。
【０１５２】
ステップ１４０において、消去モードに設定されていると判断した場合には、再生する画像のコマ番号Ｎ＝１に設定する（ステップ１４１）。
【０１５３】
次いで、フラッシュメモリ２３上のコマ情報テーブルに、コマ番号Ｎ（Ｎコマ目）のコマのコマ情報が記録されているか否かを判断する（ステップ１４２）。
【０１５４】
ステップ１４２において、コマ番号Ｎのコマのコマ情報が記録されていないと判断した場合には、Ｎ＝１か否かを判断する（ステップ１４３）。
【０１５５】
ステップ１４３において、Ｎ＝１ではないと判断した場合には、Ｎを１つデクリメントする（Ｎ＝Ｎ−１）（ステップ１４４）。
【０１５６】
例えば、Ｎが２以上の場合に、ＩＣメモリのみに記録されている画像が消去されると、Ｎ＝Ｎ−１とされる。そして、この後、後述するステップ１４７以降が実行され、ＬＣＤモニタ１８に、コマ番号Ｎの画像等が表示される。
【０１５７】
また、ステップ１４３において、Ｎ＝１と判断した場合には、ＬＣＤモニタ１８に、記録されている画像がない旨を表す“ＮＯ  ＦＩＬＥ”の文字を表示する（ステップ１４５）。
次いで、消去モードに設定されているか否かを判断する（ステップ１４６）。
【０１５８】
ステップ１４２において、コマ番号Ｎのコマのコマ情報が記録されていると判断した場合、または、ステップ１４４の後、ＬＣＤモニタ１８に、コマ番号Ｎを表示する（ステップ１４７）。
【０１５９】
次いで、コマ番号Ｎのコマ情報がＣ、ＡおよびＳのうちのいずれであるかを判断する（ステップ１４１）。
【０１６０】
ステップ１４８において、コマ情報がＣと判断した場合には、ＬＣＤモニタ１８にＩＣメモリマーク５２を表示する（ステップ１４９）。
【０１６１】
次いで、ＬＣＤモニタ１８に写真フィルムマーク５３を表示する（ステップ１５０）。
【０１６２】
次いで、コマ番号Ｎの画像を再生し、ＬＣＤモニタ１８に表示する（ステップ１５１）。
【０１６３】
なお、前記ステップ１４７、１４９、１５０および１５１により、図５に示すように、ＬＣＤモニタ１８に、コマ番号Ｎの画像が表示されるとともに、コマ番号Ｎ、ＩＣメモリマーク５３および写真フィルムマーク５２がそれぞれ表示される。
【０１６４】
また、ステップ１４８において、コマ情報がＡと判断した場合には、ＬＣＤモニタ１８に写真フィルムマーク５２を表示する（ステップ１５２）。
【０１６５】
次いで、ＬＣＤモニタ１８に、“ＦＩＬＭのみ”の文字を表示する（ステップ１５３）。
【０１６６】
なお、前記ステップ１４７、１５２および１５３により、図７に示すように、ＬＣＤモニタ１８に、“ＦＩＬＭのみ”の文字が表示されるとともに、コマ番号Ｎおよび写真フィルムマーク５２がそれぞれ表示される。
【０１６７】
また、ステップ１４８において、コマ情報がＳと判断した場合には、ＬＣＤモニタ１８にＩＣメモリマーク５３を表示する（ステップ１５４）。
【０１６８】
次いで、コマ番号Ｎの画像を再生し、ＬＣＤモニタ１８に表示する（ステップ１５５）。
【０１６９】
なお、前記ステップ１４７、１５４および１５５により、図６に示すように、ＬＣＤモニタ１８に、コマ番号Ｎの画像が表示されるとともに、コマ番号ＮおよびＩＣメモリマーク５３がそれぞれ表示される。
【０１７０】
ステップ１５１、１５３または１５５の後、アップスイッチ２８がオンか否かを判断する（ステップ１５６）。
【０１７１】
ステップ１５６において、アップスイッチ２８がオンと判断した場合には、Ｎ＜ＮMAX か否かを判断する（ステップ１５７）。
【０１７２】
ステップ１５７において、Ｎ＜ＮMAX と判断した場合には、Ｎを１つインクリメントする（Ｎ＝Ｎ＋１）（ステップ１５８）。
【０１７３】
また、ステップ１５６において、アップスイッチ２８がオフと判断した場合には、ダウンスイッチ２９がオンか否かを判断する（ステップ１５９）。
【０１７４】
ステップ１５９において、ダウンスイッチ２９がオンと判断した場合には、Ｎ＞１か否かを判断する（ステップ１６０）。
【０１７５】
ステップ１６０において、Ｎ＞１と判断した場合には、Ｎを１つデクリメントする（Ｎ＝Ｎ−１）（ステップ１６１）。
【０１７６】
また、ステップ１５９において、ダウンスイッチ２９がオフと判断した場合には、レリーズスイッチ３１の１段目がオンか否かを判断する（ステップ１６２）。
【０１７７】
ステップ１６２において、レリーズスイッチ３１の１段目がオンと判断した場合には、レリーズスイッチ３１の２段目がオンか否かを判断し（ステップ１６３）、ステップ１６３において、レリーズスイッチ３１の２段目がオフと判断した場合には、ステップ１６２に戻り、再度、ステップ１６２以降を実行する。
【０１７８】
そして、ステップ１６３において、レリーズスイッチ３１の２段目がオンと判断した場合には、コマ番号Ｎのコマ情報がＣ、ＡおよびＳのうちのいずれであるかを判断する（ステップ１６４）。
【０１７９】
ステップ１６４において、コマ情報がＣと判断した場合には、フラッシュメモリ２３に記録されているコマ番号Ｎの画像データを消去する（ステップ１６５）。
【０１８０】
次いで、フラッシュメモリ２３上のコマ情報テーブルのＮコマ目に記録されているコマ情報（コマ番号Ｎのコマ情報）を「Ｃ」から「Ａ」に書き換える（ステップ１６６）。
【０１８１】
また、ステップ１６４において、コマ情報がＳと判断した場合には、フラッシュメモリ２３に記録されているコマ番号Ｎの画像データを消去する（ステップ１６７）。
【０１８２】
そして、このステップ１６７では、コマ番号Ｎ＋１以上の各コマについて、コマ番号が１ずつ小さくなるようにコマ番号を書き換える（コマ番号の小さい方にコマを詰める）。
【０１８３】
次いで、フラッシュメモリ２３上のコマ情報テーブルのＮ＋１コマ目以降に記録されている各コマ情報（コマ番号Ｎ＋１以上の各コマ情報）を、それぞれ、コマ番号が小さい方へ１コマ移行する（ステップ１６８）。
【０１８４】
このステップ１６８により、コマ番号Ｎ＋１〜ＮMAX のコマ情報が、それぞれ、コマ番号Ｎ〜ＮMAX −１のコマ情報となるように、コマ情報テーブルのコマ番号Ｎ〜ＮMAX −１の各コマ情報が書き換えられるとともに、最終コマ番号ＮMAX のコマ情報の記録領域において、その記録領域に記録されているデータが消去され、最終コマ番号ＮMAX ＝ＮMAX −１となる。
【０１８５】
前記ステップ１６２において、レリーズスイッチ３１の１段目がオフと判断した場合には、消去モードに設定されているか否かを判断する（ステップ１６９）。
【０１８６】
ステップ１６９において消去モードに設定されていると判断した場合、ステップ１５７においてＮ＜ＮMAX ではないと判断した場合（Ｎ＝ＮMAX の場合）、ステップ１６０においてＮ＞１ではないと判断した場合（Ｎ＝１の場合）、ステップ１６４においてコマ情報がＡと判断した場合、ステップ１５８の後、ステップ１６１の後、ステップ１６６の後、または、ステップ１６８の後、ステップ１４２に戻り、再度、ステップ１４２以降を実行する。
【０１８７】
また、ステップ１６９において消去モードに設定されていないと判断した場合、ステップ１４６において消去モードに設定されていないと判断した場合、または、ステップ１４０において消去モードに設定されていないと判断した場合には、電源スイッチがオンか否かを判断する（ステップ１７０）。
【０１８８】
ステップ１７０において、電源スイッチがオンと判断した場合には、ステップ１０２に戻り、再度、ステップ１０２以降を実行する。
【０１８９】
また、ステップ１７０において、電源スイッチがオフと判断した場合には、このプログラムを終了する。
【０１９０】
以上説明したように、カメラ１によれば、再生されたコマについて、ＬＣＤモニタ１８に、画像または「ＦＩＬＭのみ」の文字とともに、コマ情報が表示されるので、再生されたコマの記録状態、すなわち、再生されたコマが、ＣＣＤ８のみで撮像（ＩＣメモリのみに記録）されたコマ、写真フィルムのみに撮像（写真フィルムのみに記録）されたコマおよび両方で撮像（両方に記録）されたコマのうちのいずれであるかを正確かつ確実に把握することができる。そして、すべてのコマを再生することにより、すべてのコマの記録状態を確認することができる。
【０１９１】
また、カメラ１では、フラッシュメモリ２３に記録されている画像データ（画像）の消去により、フラッシュメモリ２３および写真フィルム上のいずれにも画像のない（画像が記録されていない）コマが生じた場合には、消去の際、そのコマを無くし、それよりコマ番号の大きい各コマがコマ番号の小さい方に詰められるので、不要なコマ、すなわち画像が未記録（空白）のコマを無くすことができる。
【０１９２】
これにより、コマを詰めない場合に比べ、フラッシュメモリ２３へ記録し得る画像数を増加させることができ、フラッシュメモリ２３の画像記録領域を有効に利用することができる。
【０１９３】
また、カメラ１では、撮像（撮影）の際、記録モードに応じて（記録モード設定手段からの記録モード設定情報に基づいて）、コマ情報が自動的に記録されるので、操作が簡略化するとともに、コマ情報の記録を適正かつ確実に行うことができる。
【０１９４】
以上、本発明のカメラを、図示の実施例に基づいて説明したが、本発明はこれに限定されるものではない。
【０１９５】
例えば、本発明では、ＩＣメモリカード等、カメラに対し着脱可能な記録媒体に、画像データを記録するような構成であってもよい。
【０１９６】
また、本発明では、記録媒体は、フラッシュメモリに限らず、この他、他の書き換え可能な不揮発性メモリや、光記録媒体、光磁気記録媒体、磁気記録媒体等であってもよい。
【０１９７】
また、本発明では、第１の光学系と第２の光学系の一部分が共通であってもよい。
【０１９８】
【発明の効果】
以上説明したように、本発明のカメラによれば、表示手段に、記録方式に関するコマ情報が表示されるので、コマの記録状態（例えば、撮像素子のみで撮像されたコマ、写真フィルムのみで撮像されたコマおよび両方で撮像されたコマのうちのいずれであるか）を正確かつ確実に把握することができる。
【図面の簡単な説明】
【図１】本発明のカメラの構成例を示す斜視図である。
【図２】図１に示すカメラの正面図である。
【図３】図１に示すカメラの回路構成を示すブロック図である。
【図４】本発明におけるコマ情報テーブルを模式的に示す図である。
【図５】本発明において、両方に記録されたコマが再生された場合のＬＣＤモニタの表示例を示す図である。
【図６】本発明において、ＩＣメモリのみに記録されたコマが再生された場合のＬＣＤモニタの表示例を示す図である。
【図７】本発明において、写真フィルムのみに記録されたコマが再生された場合のＬＣＤモニタの表示例を示す図である。
【図８】本発明において、画像の消去前および消去後のコマ情報テーブルを模式的に示す図である。
【図９】本発明における制御手段の制御動作を示すフローチャートである。
【図１０】本発明における制御手段の制御動作を示すフローチャート（図９の続き）である。
【図１１】本発明における制御手段の制御動作を示すフローチャート（図９の続き）である。
【図１２】本発明における制御手段の制御動作を示すフローチャート（図９の続き）である。
【図１３】本発明における制御手段の制御動作を示すフローチャート（図９の続き）である。
【図１４】本発明における制御手段の制御動作を示すフローチャート（図１３の続き）である。
【符号の説明】
１              カメラ
２              ボディー
３              裏蓋
４、５          撮像光学系
６              ファインダー光学系
７              制御手段
８              ＣＣＤ
９              撮像回路
１１            Ａ／Ｄコンバータ
１２            映像処理回路
１３            データセレクタ
１４            画像メモリ
１５            Ｄ／Ａコンバータ
１６            ＮＴＳＣエンコーダ
１７            ＬＣＤ駆動回路
１８            ＬＣＤモニタ
１９            画像圧縮回路
２０            ＣＲＴコントローラ
２１            画像伸長回路
２２            フラッシュメモリコントロール回路
２３            フラッシュメモリ
２４            表示部
２５            操作部
２６            モード設定スイッチ
２７            記録モード設定スイッチ
２８            アップスイッチ
２９            ダウンスイッチ
３１            レリーズスイッチ
３２            裏蓋開閉検出スイッチ
３３            写真フィルム検出手段
３４            ストロボ回路
３５            測光回路
３６            ＡＦ回路
３７            レンズ駆動回路
３８            シャッター・絞り駆動回路
３９            レンズシャッター
４１            レンズ駆動回路
５１            画面
５２            写真フィルムマーク
５３            ＩＣメモリマーク
１０１〜１７０  ステップ
【図１】
0003752024.tif 000002
【図２】
0003752024.tif 000003
【図３】
0003752024.tif 000004
【図４】
0003752024.tif 000005
【図５】
0003752024.tif 000006
【図６】
0003752024.tif 000007
【図７】
0003752024.tif 000008
【図８】
0003752024.tif 000009
【図９】
0003752024.tif 000010
【図１０】
0003752024.tif 000011
【図１１】
0003752024.tif 000012
【図１２】
0003752024.tif 000013
【図１３】
0003752024.tif 000014
【図１４】
0003752024.tif 000015